(57)【要約】【課題】吸音装置において、室内移動や吸音体の交換を容易に行う。【解決手段】吸音装置１は、下端面に開口する挿入孔２ｆが形成された吸音体２と、挿入孔２ｆに挿入されることで吸音体２を支持して自立させる支持体３とを備えている。【選択図】図４
2010085511.tif 000002
【特許請求の範囲】
【請求項１】
少なくとも下端面に開口する挿入孔が形成された吸音体と、
上記挿入孔に挿入されることで上記吸音体を支持して自立させる支持体とを備えていることを特徴とする吸音装置。
【請求項２】
請求項１記載の吸音装置において、
上記吸音体は、表面に凹凸が形成された円柱状、円錐状又は円錐台状のウレタン系樹脂発泡体からなることを特徴とする吸音装置。
【請求項３】
請求項１又は２記載の吸音装置において、
上記吸音体を取り外し可能に被覆するメッシュ状の被覆体をさらに備えていることを特徴とする吸音装置。
【請求項４】
請求項１〜３のいずれか１つに記載の吸音装置において、
上記吸音体には、上記挿入孔と上記吸音体の外部とを連通する連通孔が形成されており、
上記支持体には、上記連通孔に対応する部分に発光体が設けられていることを特徴とする吸音装置。
【発明の詳細な説明】
【技術分野】
【０００１】
本発明は、室内の音響環境を調整するための吸音装置、特に、持ち運び可能で、かつ構成部品のメンテナンスが容易な自立型の吸音装置に関するものである。
【背景技術】
【０００２】
従来から、例えばオーディオルーム内などの室内の音響環境を調整するための吸音体が知られている。特許文献１の吸音体は、多孔質吸音材を円筒形に形成してなるものであって、その外周面が通気性を持つ仕上材で覆われている。特許文献２の吸音体は、三角錐状のものである。
【特許文献１】特開平８−３０２８５０号公報
【特許文献２】特開２００２−２２０８８９号公報
【発明の開示】
【発明が解決しようとする課題】
【０００３】
ところで、吸音体は、音響環境を所望の環境にするためには、室内で移動させる必要がある。しかしながら、特許文献１の吸音体は、壁に直接取り付けられているため、室内で移動させるためには、壁から取り外す必要があり、その移動が容易ではない。特許文献２の吸音体も、天井と２面の壁とが交差して形成された隅部に支持体を介して直接支持されているため、室内で移動させるためには、隅部から取り外す必要があり、その移動が容易ではない。
【０００４】
また、吸音体は、最適にはウレタン系樹脂発泡体からなるのが望ましいが、これは日光に弱く、長期使用すると劣化するため、定期的に交換する必要がある。しかしながら、特許文献１及び２の吸音体はいずれも、上記のように、壁などに直接取り付けられているため、その交換のためには、壁などから取り外す必要があり、その交換が容易ではない。
【０００５】
本発明は、かかる点に鑑みてなされたものであり、その目的とするところは、吸音装置において、室内移動や吸音体の交換を容易に行うことにある。
【課題を解決するための手段】
【０００６】
第１の発明は、少なくとも下端面に開口する挿入孔が形成された吸音体と、上記挿入孔に挿入されることで上記吸音体を支持して自立させる支持体とを備えていることを特徴とするものである。
【０００７】
これにより、吸音体を自立させているので、従来のように、吸音体が壁などに直接取り付けられている場合と比較して、吸音装置の室内移動を容易に行うことができる。
【０００８】
また、吸音体を、その挿入孔に支持体を挿入することで支持体に支持しているので、吸音体を支持体に対し脱着するだけで、吸音体を交換することができる。このため、従来のように、吸音体が壁などに直接取り付けられている場合と比較して、吸音体の交換を容易に行うことができる。
【０００９】
尚、吸音体は、樹脂発泡体やグラスウール、ロックウール、織布、不織布など、吸音性に優れた材料であれば、どのような材料で作っても良いが、自立させるために必要な寸法や重量を考慮すると、最適には樹脂発泡体で作られるのが望ましい。この樹脂発泡体としては、ウレタン系樹脂発泡体やエポキシ系樹脂発泡体、スチレン系樹脂発泡体、オレフィン系樹脂発泡体などの樹脂発泡体が用いられるが、吸音性及び価格を考慮すると、最適にはウレタン系樹脂発泡体が用いられるのが望ましい。
【００１０】
また、吸音体は、円柱状や円錐状、円錐台状、角柱状などの柱状のものにしても良い。このように、柱状のものして自立させることで、吸音装置の設置スペースを小さくしながら、その吸音性を向上させることができる。
【００１１】
第２の発明は、上記第１の発明において、上記吸音体は、表面に凹凸が形成された円柱状、円錐状又は円錐台状のウレタン系樹脂発泡体からなることを特徴とするものである。
【００１２】
これにより、吸音体の表面に凹凸が形成されているので、その表面積を大きくすることができ、吸音装置の吸音性を向上させることができる。
【００１３】
ところで、吸音体を角柱状のものにすると、その設置方向によってその吸音性が異なるため、音響環境を所望の環境にするためには、さらに設置方向の微調整が必要である。また、吸音体を角柱状のものにすると、その設置スペースが大きくなる。
【００１４】
ここで、本発明によれば、吸音体を円柱状、円錐状又は円錐台状のものにしているので、吸音装置の吸音性に方向性をなくすることができ、上記のように、さらに設置方向の微調整を行う必要がなく、吸音装置の設置数及び設置場所により、音響環境を設定することができる。また、吸音体を円柱状、円錐状又は円錐台状のものにしているので、吸音体を角柱状のものにしている場合と比較して、吸音装置の設置スペースを小さくすることができる。
【００１５】
尚、吸音体は、ウレタン系樹脂発泡体の塊を切削加工することで作っても良い。また、板状のウレタン系樹脂発泡体を丸めてその両端を接着することで、円筒状のものを作っても良い。この場合、その円筒状のものの内部に埃などが入るのを抑制するため、その上に円柱状のウレタン系樹脂発泡体を設けるのが望ましい。
【００１６】
第３の発明は、上記第１又は２の発明において、上記吸音体を取り外し可能に被覆するメッシュ状の被覆体をさらに備えていることを特徴とするものである。
【００１７】
これにより、吸音体をメッシュ状の被覆体で取り外し可能に被覆しているので、太陽光による吸音体の劣化を軽減することができるとともに、吸音体に埃などが溜まるのを抑制することができる。
【００１８】
第４の発明は、上記第１〜３のいずれかの発明において、上記吸音体には、上記挿入孔と上記吸音体の外部とを連通する連通孔が形成されており、上記支持体には、上記連通孔に対応する部分に発光体が設けられていることを特徴とするものである。
【００１９】
これにより、吸音体に、その挿入孔と吸音体の外部とを連通する連通孔を形成し、支持体に、その連通孔に対応する部分に発光体を設けているので、吸音装置は、照明としての役割も果たす。
【００２０】
尚、発光体としては、発熱量が少ないもの、例えばＬＥＤが用いられても良い。
【発明の効果】
【００２１】
本発明によれば、吸音体を自立させているので、従来のように、吸音体が壁などに直接取り付けられている場合と比較して、吸音装置の室内移動を容易に行うことができる。また、吸音体を、その挿入孔に支持体を挿入することで支持体に支持しているので、吸音体を支持体に対し脱着するだけで、吸音体を交換することができ、従来のように、吸音体が壁などに直接取り付けられている場合と比較して、吸音体の交換を容易に行うことができる。
【発明を実施するための最良の形態】
【００２２】
以下、本発明の実施形態を図面に基づいて詳細に説明する。
【００２３】
本発明の実施形態に係る自立型の吸音装置は、オーディオルームなどの部屋の壁に対し非取付状態で、部屋の床に直接設置される。図１〜図４に示すように、吸音装置１は、円柱状の吸音体２と、この吸音体２を支持する金属製の支持体３と、吸音体２を被覆する袋状の被覆体４とを備えている。吸音体２の軸方向は上下方向と一致している。吸音体２の直径は例えば２００〜５００ｍｍであり、本実施形態では例えば約２５０ｍｍである。吸音体２の下端面の高さは、床から例えば約７０ｍｍである。
【００２４】
吸音体２は、上側吸音部２ａと、この上側吸音部２ａの下側に設けられた中央吸音部２ｂと、この中央吸音部２ｂの下側に設けられた下側吸音部２ｃとを有している。上側吸音部２ａは、円柱状のウレタン樹脂発泡体からなる。上側吸音部２ａの長さは例えば約１５０ｍｍである。中央吸音部２ｂは、外周面に上下方向に延びる凹凸が周方向に交互に形成された円柱状のウレタン樹脂発泡体からなる。中央吸音部２ｂの長さは例えば約１１２０ｍｍである。凹部２ｄの幅は例えば３〜４ｍｍである。凸部２ｅの幅は例えば約１８ｍｍである。下側吸音部２ｃは、円柱状のウレタン樹脂発泡体からなる。下側吸音部２ｃの長さは例えば約１５０ｍｍである。中央吸音部２ｂ及び下側吸音部２ｃの中央には、上下方向に延びて中央吸音部２ｂの上端面及び下側吸音部２ｃの下端面に開口する挿入孔２ｆが中央吸音部２ｂ及び下側吸音部２ｃに跨って形成されている。この挿入孔２ｆの上端は、上側吸音部２ａの下端面で塞がれている。このようにして、挿入孔２ｆは、吸音体２の下端面に開口している。中央吸音部２ｂは、例えば一方側の面に凹凸加工が施された板状のウレタン樹脂発泡体を丸めてその両端を接着することで作られている。そして、上側吸音部２ａ、中央吸音部２ｂ、及び下側吸音部２ｃは一体化されている。尚、図２では、挿入孔２ｆを見易くするため、凹部２ｄ及び凸部２ｅを図示していない。
【００２５】
支持体３は、円盤状の受け部３ａと、この受け部３ａの上面に上下方向に延びるように設けられた棒状の支持部３ｂと、受け部３ａの下面に上下方向に延びるように設けられたツリー状の脚部３ｃとを有している。受け部３ａは、吸音体２の下端面を受けている。支持部３ｂは、吸音体２の挿入孔２ｆに取り外し可能に挿入されている。脚部３ｃは、十字状の十字状部３ｅと、この十字状部３ｅの上面の中心に上下方向に延びるように設けられた棒状の棒状部３ｄとを有している。このように、支持体３は、受け部３ａが吸音体２を支え止め、かつ支持部３ｂが挿入孔２ｆに差し入れることで吸音体２をその下側から支持して該吸音体２を部屋の壁から自立させるようになっている。また、支持部３ｂを吸音体２の挿入孔２ｆに脱着可能に差し込んでいるので、吸音体２は交換可能になっている。
【００２６】
被覆体４は、例えば吸音体２の表面全体を取り外し可能に被覆する、通気性を持ち、洗濯可能なメッシュ状のものである。図５に示すように、メッシュ４ａは例えば六角形状のものであり、その高さは例えば約５ｍｍ、その幅は例えば約２ｍｍである。尚、図１では、メッシュ４ａを表現していない。
【００２７】
以上により、本実施形態によれば、吸音体２を自立させているので、従来のように、吸音体が壁などに直接取り付けられている場合と比較して、吸音装置１の室内移動を容易に行うことができる。
【００２８】
また、吸音体２を、その挿入孔２ｆに支持体３の支持部３ｂを挿入することで支持体３に支持しているので、吸音体２を支持体３に対し脱着するだけで、吸音体２を交換することができる。このため、従来のように、吸音体が壁などに直接取り付けられている場合と比較して、吸音体２の交換を容易に行うことができる。
【００２９】
さらに、従来のように、吸音体が壁などに直接取り付けられている場合と比較して、吸音装置１の設置数の増減を容易に行うことができる。
【００３０】
さらにまた、吸音体２の表面に凹凸が形成されているので、その表面積を大きくすることができ、吸音装置１の吸音性を向上させることができる。
【００３１】
ところで、吸音体を角柱状のものにすると、その設置方向によってその吸音性が異なるため、音響環境を所望の環境にするためには、さらに設置方向の微調整が必要である。また、吸音体を角柱状のものにすると、その設置スペースが大きくなる。
【００３２】
ここで、本実施形態によれば、吸音体２を円柱状のものにしているので、吸音装置１の吸音性に方向性をなくすることができ、上記のように、さらに設置方向の微調整を行う必要がなく、吸音装置１の設置数及び設置場所により、音響環境を設定することができる。また、吸音体２を円柱状のものにしているので、吸音体を角柱状のものにしている場合と比較して、吸音装置１の設置スペースを小さくすることができる。
【００３３】
また、吸音体２をメッシュ状の被覆体４で取り外し可能に被覆しているので、太陽光による吸音体２の劣化を軽減することができるとともに、吸音体２に埃などが溜まるのを抑制することができる。さらに、円盤状の埃防止部材（例えば合成樹脂製のもの）を吸音体２の上部に配置することで、埃の進入を確実に防止することができる。
【００３４】
尚、上記実施形態では、挿入孔２ｆを吸音体２の下端面にのみ開口させているが、これに限らず、例えば、吸音体２の下端面及び上端面の両方に開口させても良い。但し、吸音体２に埃などが溜まるのを抑制する観点からは、前者の方が望ましい。
【００３５】
また、上記実施形態のものを、以下のように構成しても良い。つまり、図６に示すように、吸音体２に、吸音体２の挿入孔２ｆと吸音体２の外部とを連通する径方向に延びる単数又は複数の連通孔２ｇを形成し、支持体３の支持部３ｂにおける各連通孔２ｇに対応する部分にＬＥＤ５（発光体）を設けても良い。そして、ＬＥＤ５の光は、連通孔２ｇを介して吸音体２の外部に放たれるようになっている。これにより、吸音装置１は、照明としての役割も果たす。
【００３６】
さらに、上記実施形態では、吸音体２は、上側吸音部２ａ、中央吸音部２ｂ、及び下側吸音部２ｃを一体化してなるが、これに限らず、例えば、吸音体２を単一物としても良い。
【００３７】
本発明は、実施形態に限定されず、その精神又は主要な特徴から逸脱することなく他の色々な形で実施することができる。
【００３８】
このように、上述の実施形態はあらゆる点で単なる例示に過ぎず、限定的に解釈してはならない。本発明の範囲は特許請求の範囲によって示すものであって、明細書には何ら拘束されない。さらに、特許請求の範囲の均等範囲に属する変形や変更は、全て本発明の範囲内のものである。
【実施例】
【００３９】
＜吸音装置＞
吸音体を、外周面に上下方向に延びる凹凸が周方向に交互に形成された長さ１５００ｍｍ、直径２５０ｍｍの円柱状のウレタン樹脂発泡体からなるものとした。凹部の深さを１０ｍｍとした。吸音体の挿入孔の直径を３０ｍｍとした。支持体の長さを１０００ｍｍとした。そして、支持体の支持部を吸音体の挿入孔に挿入し、かつ吸音体を被覆体で被覆することで、吸音装置を得た。
【００４０】
＜部屋＞
部屋の大きさを６畳とした。壁を石膏ボードとし、クロス仕上げをした。天井を石膏ボードとし、クロス仕上げをした。床を合板フロアとした。ドアを木製の防音ドアとした。
【００４１】
＜残響試験＞
実施例では、上記部屋の床の四隅に上記吸音装置をそれぞれ設置し、ＪＩＳ Ａ１４０９の残響室法吸音率測定法に基づいて、測定周波数１２５Ｈｚ、２５０Ｈｚ、５００Ｈｚ、１０００Ｈｚ、２０００Ｈｚ、４０００Ｈｚにおける残響時間をそれぞれ測定した。
【００４２】
一方、比較例では、上記部屋に上記吸音装置を設置せず、ＪＩＳ Ａ１４０９の残響室法吸音率測定法に基づいて、測定周波数１２５Ｈｚ、２５０Ｈｚ、５００Ｈｚ、１０００Ｈｚ、２０００Ｈｚ、４０００Ｈｚにおける残響時間をそれぞれ測定した。
【００４３】
＜試験結果＞
表１は上記残響試験の試験結果を示す。
【００４４】
【表１】
2010085511.tif 000003
【００４５】
表１から分かるように、全ての周波数帯域で実施例の方が比較例よりも残響時間が短かった、つまり、吸音性が高かった。
【産業上の利用可能性】
【００４６】
以上説明したように、本発明にかかる吸音装置は、室内移動や吸音体の交換を容易に行う用途等に適用できる。
【図面の簡単な説明】
【００４７】
【図１】本発明の実施形態に係る吸音装置の斜視図である。
【図２】被覆体を除いた状態の吸音装置の分解斜視図である。
【図３】中央吸音部の斜視図である。
【図４】図１のIV−IV線の矢視断面図である。
【図５】メッシュの拡大図である。
【図６】吸音装置の変形例の図４相当図である。
【符号の説明】
【００４８】
１    吸音装置
２    吸音体
２ｆ  挿入孔
２ｇ  連通孔
３    支持体
４    被覆体
５    ＬＥＤ（発光体）
【図１】
2010085511.tif 000004
【図２】
2010085511.tif 000005
【図３】
2010085511.tif 000006
【図４】
2010085511.tif 000007
【図５】
2010085511.tif 000008
【図６】
2010085511.tif 000009